(57)【要約】【課題】チャンネルの視聴状況を容易に比較分析することが可能なシステム、方法及びプログラムを提供することにある。【解決手段】実施形態に係るシステムは、複数のチャンネルを選択可能な選択手段と、第１チャンネルと、第２チャンネルとが選択された場合に、第１時間帯における第１チャンネルと第２チャンネルとの視聴状況の差異を示す第１指標と、第１時間帯の後の第２時間帯における第１チャンネルと第２チャンネルとの視聴状況との差異を示す第２指標と、を時系列順に並べて表示する表示制御手段とを具備する。【選択図】図１
2019140455.tif 000002
【特許請求の範囲】
【請求項１】
複数のチャンネルを選択可能な選択手段と、
第１チャンネルと、第２チャンネルとが選択された場合に、第１時間帯における前記第１チャンネルと前記第２チャンネルとの視聴状況の差異を示す第１指標と、前記第１時間帯の後の第２時間帯における前記第１チャンネルと前記第２チャンネルとの視聴状況との差異を示す第２指標と、を時系列順に並べて表示する表示制御手段と
を具備するシステム。
【請求項２】
前記表示制御手段は、
前記第１時間帯における前記第１チャンネルの視聴状況と、前記第２時間帯における前記第１チャンネルの視聴状況と、を時系列順に並べて表示し、
前記第１時間帯における前記第２チャンネルの視聴状況と、前記第２時間帯における前記第２チャンネルの視聴状況と、を時系列順に並べて表示する
請求項１記載のシステム。
【請求項３】
前記第１チャンネルについて第１日付を設定可能であり、
前記第２チャンネルについて第２日付を設定可能であり、
前記第１指標は、前記第１日付の前記第１時間帯における前記第１チャンネルと、前記第２日付の前記第１時間帯における前記第２チャンネルとの視聴状況の差異を含み、
前記第２指標は、前記第１日付の前記第２時間帯における前記第１チャンネルと、前記第２日付の前記第２時間帯における前記第２チャンネルとの視聴状況の差異を含む
請求項１または２に記載のシステム。
【請求項４】
前記第１チャンネルについて第１期間を設定可能であり、
前記第２チャンネルについて第２期間を設定可能であり、
前記第１指標は、前記第１期間の前記第１時間帯における前記第１チャンネルと、前記第２期間の前記第１時間帯における前記第２チャンネルとの視聴状況の差異を含み、
前記第２指標は、前記第１期間の前記第２時間帯における前記第１チャンネルと、前記第２期間の前記第２時間帯における前記第２チャンネルとの視聴状況の差異を含む
請求項１〜３のいずれか一項に記載のシステム。
【請求項５】
前記第１チャンネルについて第１曜日を設定可能であり、
前記第２チャンネルについて第２曜日を設定可能であり、
前記第１指標は、前記第１曜日の前記第１時間帯における前記第１チャンネルと、前記第２曜日の前記第１時間帯における前記第２チャンネルとの視聴状況の差異を含み、
前記第２指標は、前記第１曜日の前記第２時間帯における前記第１チャンネルと、前記第２曜日の前記第２時間帯における前記第２チャンネルとの視聴状況の差異を含む
請求項４記載のシステム。
【請求項６】
前記第１時間帯は、前記第１または第２チャンネルで前記第１時間帯に放送される番組の開始時刻及び終了時刻の少なくとも一方に従って設定可能であり、
前記第２時間帯は、前記第１または第２チャンネルで前記第２時間帯に放送される番組の開始時刻及び終了時刻の少なくとも一方に従って設定可能であり、
前記第１時間帯の長さと前記第２時間帯の長さとは異なり得る
請求項１〜５のいずれか一項に記載のシステム。
【請求項７】
前記第１指標は、前記第１時間帯における前記第１チャンネルに対するリアルタイム視聴による第１視聴率と前記第１時間帯における前記第２チャンネルに対するリアルタイム視聴による第２視聴率との差異、前記第１時間帯における前記第１チャンネルに対する録画視聴による第３視聴率と前記第１時間帯における前記第２チャンネルに対する録画視聴による第４視聴率との差異、及び、前記第１時間帯における前記第１チャンネルに対するリアルタイム視聴及び録画視聴による第１合算視聴率と前記第１時間帯における前記第２チャンネルに対するリアルタイム視聴及び録画視聴による第２合算視聴率との差異、の少なくとも１つを含み、
前記第２指標は、前記第２時間帯における前記第１チャンネルに対するリアルタイム視聴による第５視聴率と前記第２時間帯における前記第２チャンネルに対するリアルタイム視聴による第６視聴率との差異、前記第２時間帯における前記第１チャンネルに対する録画視聴による第７視聴率と前記第２時間帯における前記第２チャンネルに対する録画視聴による第８視聴率との差異、及び、前記第２時間帯における前記第１チャンネルに対するリアルタイム視聴及び録画視聴による第３合算視聴率と前記第２時間帯における前記第２チャンネルに対するリアルタイム視聴及び録画視聴による第４合算視聴率との差異、の少なくとも１つを含む
請求項１〜６のいずれか一項に記載のシステム。
【請求項８】
前記表示制御手段は、前記第１時間帯における前記第１チャンネルの視聴状況及び前記第２時間帯における前記第１チャンネルの視聴状況と、前記第１時間帯における前記第２チャンネルの視聴状況及び前記第２時間帯における前記第２チャンネルの視聴状況と、前記第１指標及び前記第２指標と、を対応づけて表示し、
前記第１時間帯における前記第１チャンネルの視聴状況及び前記第２時間帯における前記第１チャンネルの視聴状況と、前記第１時間帯における前記第２チャンネルの視聴状況及び前記第２時間帯における前記第２チャンネルの視聴状況と、前記第１指標及び前記第２指標とは、互いに連動してスクロール表示可能である
請求項１〜７のいずれか一項に記載のシステム。
【請求項９】
前記第１時間帯における前記第１チャンネルの視聴状況及び前記第２時間帯における前記第１チャンネルの視聴状況と、前記第１時間帯における前記第２チャンネルの視聴状況及び前記第２時間帯における前記第２チャンネルの視聴状況と、前記第１指標及び前記第２指標とは、ヒートマップ形式で表示される請求項１〜８のいずれか一項に記載のシステム。
【請求項１０】
複数のチャンネルを選択するステップと、
第１チャンネルと、第２チャンネルとが選択された場合に、第１時間帯における前記第１チャンネルと前記第２チャンネルとの視聴状況の差異を示す第１指標と、前記第１時間帯の後の第２時間帯における前記第１チャンネルと前記第２チャンネルとの視聴状況との差異を示す第２指標と、を時系列順に並べて表示するステップと
を具備する方法。
【請求項１１】
前記表示するステップは、
前記第１時間帯における前記第１チャンネルの視聴状況と、前記第２時間帯における前記第１チャンネルの視聴状況と、を時系列順に並べて表示するステップと、
前記第１時間帯における前記第２チャンネルの視聴状況と、前記第２時間帯における前記第２チャンネルの視聴状況と、を時系列順に並べて表示するステップと
を含む
請求項１０記載の方法。
【請求項１２】
前記第１チャンネルについて第１日付を設定可能であり、
前記第２チャンネルについて第２日付を設定可能であり、
前記第１指標は、前記第１日付の前記第１時間帯における前記第１チャンネルと、前記第２日付の前記第１時間帯における前記第２チャンネルとの視聴状況の差異を含み、
前記第２指標は、前記第１日付の前記第２時間帯における前記第１チャンネルと、前記第２日付の前記第２時間帯における前記第２チャンネルとの視聴状況の差異を含む
請求項１０または１１に記載の方法。
【請求項１３】
前記第１チャンネルについて第１期間を設定可能であり、
前記第２チャンネルについて第２期間を設定可能であり、
前記第１指標は、前記第１期間の前記第１時間帯における前記第１チャンネルと、前記第２期間の前記第１時間帯における前記第２チャンネルとの視聴状況の差異を含み、
前記第２指標は、前記第１期間の前記第２時間帯における前記第１チャンネルと、前記第２期間の前記第２時間帯における前記第２チャンネルとの視聴状況の差異を含む
請求項１０〜１２のいずれか一項に記載の方法。
【請求項１４】
前記第１チャンネルについて第１曜日を設定可能であり、
前記第２チャンネルについて第２曜日を設定可能であり、
前記第１指標は、前記第１曜日の前記第１時間帯における前記第１チャンネルと、前記第２曜日の前記第１時間帯における前記第２チャンネルとの視聴状況の差異を含み、
前記第２指標は、前記第１曜日の前記第２時間帯における前記第１チャンネルと、前記第２曜日の前記第２時間帯における前記第２チャンネルとの視聴状況の差異を含む
請求項１３記載の方法。
【請求項１５】
前記第１時間帯は、前記第１または第２チャンネルで前記第１時間帯に放送される番組の開始時刻及び終了時刻の少なくとも一方に従って設定可能であり、
前記第２時間帯は、前記第１または第２チャンネルで前記第２時間帯に放送される番組の開始時刻及び終了時刻の少なくとも一方に従って設定可能であり、
前記第１時間帯の長さと前記第２時間帯の長さとは異なり得る
請求項１０〜１４のいずれか一項に記載の方法。
【請求項１６】
前記第１指標は、前記第１時間帯における前記第１チャンネルに対するリアルタイム視聴による第１視聴率と前記第１時間帯における前記第２チャンネルに対するリアルタイム視聴による第２視聴率との差異、前記第１時間帯における前記第１チャンネルに対する録画視聴による第３視聴率と前記第１時間帯における前記第２チャンネルに対する録画視聴による第４視聴率との差異、及び、前記第１時間帯における前記第１チャンネルに対するリアルタイム視聴及び録画視聴による第１合算視聴率と前記第１時間帯における前記第２チャンネルに対するリアルタイム視聴及び録画視聴による第２合算視聴率との差異、の少なくとも１つを含み、
前記第２指標は、前記第２時間帯における前記第１チャンネルに対するリアルタイム視聴による第５視聴率と前記第２時間帯における前記第２チャンネルに対するリアルタイム視聴による第６視聴率との差異、前記第２時間帯における前記第１チャンネルに対する録画視聴による第７視聴率と前記第２時間帯における前記第２チャンネルに対する録画視聴による第８視聴率との差異、及び、前記第２時間帯における前記第１チャンネルに対するリアルタイム視聴及び録画視聴による第３合算視聴率と前記第２時間帯における前記第２チャンネルに対するリアルタイム視聴及び録画視聴による第４合算視聴率との差異、の少なくとも１つを含む
請求項１０〜１５のいずれか一項に記載の方法。
【請求項１７】
前記表示するステップは、前記第１時間帯における前記第１チャンネルの視聴状況及び前記第２時間帯における前記第１チャンネルの視聴状況と、前記第１時間帯における前記第２チャンネルの視聴状況及び前記第２時間帯における前記第２チャンネルの視聴状況と、前記第１指標及び前記第２指標と、を対応付けて表示するステップを含み、
前記第１時間帯における前記第１チャンネルの視聴状況及び前記第２時間帯における前記第１チャンネルの視聴状況と、前記第１時間帯における前記第２チャンネルの視聴状況及び前記第２時間帯における前記第２チャンネルの視聴状況と、前記第１指標及び前記第２指標とは、互いに連動してスクロール表示可能である
請求項１０〜１６のいずれか一項に記載の方法。
【請求項１８】
前記第１時間帯における前記第１チャンネルの視聴状況及び前記第２時間帯における前記第１チャンネルの視聴状況と、前記第１時間帯における前記第２チャンネルの視聴状況及び前記第２時間帯における前記第２チャンネルの視聴状況と、前記第１指標及び前記第２指標とは、ヒートマップ形式で表示される請求項１０〜１７のいずれか一項に記載の方法。
【請求項１９】
コンピュータに、
複数のチャンネルを選択するステップと、
第１チャンネルと、第２チャンネルとが選択された場合に、第１時間帯における前記第１チャンネルと前記第２チャンネルとの視聴状況の差異を示す第１指標と、前記第１時間帯の後の第２時間帯における前記第１チャンネルと前記第２チャンネルとの視聴状況との差異を示す第２指標と、を時系列順に並べて表示するステップと
を実行させるためのプログラム。
【発明の詳細な説明】
【技術分野】
【０００１】
本発明の実施形態は、システム、方法及びプログラムに関する。
【背景技術】
【０００２】
近年では、インターネットのようなネットワークに接続された例えばテレビ等の映像視聴機器（以下、視聴機器と表記）に対する視聴者（ユーザ）の視聴履歴等のデータ（以下、視聴ログと表記）を、当該視聴者の同意の元で収集することが知られている。
【０００３】
このような視聴ログによれば、例えば放送局（放送事業者）に割り当てられているチャンネルに対する時間帯別の視聴状況（例えば、視聴率または視聴機器数等）のような当該放送局にとって有益な情報を提供するサービスを行うことができる。
【０００４】
しかしながら、上記したサービスにおいては、例えば同一の時間帯における特定のチャンネルに対する視聴状況と他のチャンネルに対する視聴状況とを比較して分析するようなことは困難である。
【０００５】
また、特定のチャンネルにおいて、異なる日付（日時）でどのような視聴状況の差異が生じているかを把握することも困難である。
【先行技術文献】
【特許文献】
【０００６】
【特許文献１】特開２０１７−０２８３５３号公報
【発明の概要】
【発明が解決しようとする課題】
【０００７】
そこで、本発明が解決しようとする課題は、チャンネルの視聴状況を容易に比較分析することが可能なシステム、方法及びプログラムを提供することにある。
【課題を解決するための手段】
【０００８】
実施形態に係るシステムは、複数のチャンネルを選択可能な選択手段と、第１チャンネルと、第２チャンネルとが選択された場合に、第１時間帯における前記第１チャンネルと前記第２チャンネルとの視聴状況の差異を示す第１指標と、前記第１時間帯の後の第２時間帯における前記第１チャンネルと前記第２チャンネルとの視聴状況との差異を示す第２指標と、を時系列順に並べて表示する表示制御手段とを具備する。
【図面の簡単な説明】
【０００９】
【図１】実施形態に係るシステムの構成の一例を示すブロック図。
【図２】分析装置のハードウェア構成の一例を示す図。
【図３】視聴ログ格納部に格納されている視聴ログのデータ構造の一例を示す図。
【図４】統計データ計算部の処理手順の一例を示すフローチャート。
【図５】統計データ格納部に格納された時間帯別視聴率データのデータ構造の一例を示す図。
【図６】番組別視聴率を計算する場合の統計データ計算部の処理手順の一例を示すフローチャート。
【図７】ＧＵＩ画面の概要について説明するための図。
【図８】比較分析処理の処理手順の一例を示すフローチャート。
【図９】ＧＵＩ画面の具体例を示す図。
【図１０】時間区分が「番組」である場合のＧＵＩ画面の具体例を示す図。
【発明を実施するための形態】
【００１０】
以下、図面を参照して、実施形態について説明する。
図１は、本実施形態に係るシステムの構成の一例を示すブロック図である。本実施形態に係るシステムは、テレビ等の映像視聴機器（以下、視聴機器と表記）に対する視聴者の視聴履歴等のデータ（以下、視聴ログと表記）に基づいて、例えば各放送局に割り当てられているチャンネルの視聴状況を比較分析するために用いられる。以下の説明においては、本実施形態に係るシステムは便宜的に分析システムと称する。
【００１１】
図１に示す分析システム１０は、視聴ログ収集部１１、視聴ログ格納部１２、統計データ計算部１３、番組情報格納部１４、統計データ格納部１５、設定処理部１６、比較分析部１７及び表示制御部１８を含む。
【００１２】
視聴ログ収集部１１は、上記した視聴ログを、例えばインターネットのようなネットワークに接続された多数の視聴機器から収集する。視聴ログ収集部１１によって収集された視聴ログは、視聴ログ格納部１２に格納される。
【００１３】
統計データ計算部１３は、視聴ログ格納部１２に格納された視聴ログに対して統計処理を実行することによって所定の統計データを計算する。なお、統計データ計算部１３によって計算される統計データには、例えば特定のチャンネルに対する時間帯毎の視聴状況（例えば、視聴率等）が含まれる。
【００１４】
ここで、番組情報格納部１４には、複数の放送局によって放送された番組に関する情報（以下、番組情報と表記）が予め格納されている。なお、番組情報格納部１４に格納されている番組情報には、例えば各放送局によって放送された番組のタイトル、当該番組が放送されたチャンネル、放送開始日時及び放送終了日時等が含まれる。なお、本実施形態において説明する放送局には、ＶＯＤ（Video On Demand）事業者等が含まれていてもよい。
【００１５】
統計データ計算部１３は、上記した番組情報を用いることによって、特定の番組に対する視聴率等を統計データとして計算することが可能である。
【００１６】
統計データ計算部１３によって計算された統計データは、統計データ格納部１５に格納される。
【００１７】
設定処理部１６は、例えば分析者の操作に応じて、上記した視聴状況の比較分析に関する各種条件を設定する。
【００１８】
比較分析部１７は、設定処理部１６によって設定された条件に合致する統計データを統計データ格納部１５から取得し、当該取得された統計データに基づく分析処理を実行する。具体的には、比較分析部１７は、分析者によって選択された分析対象となるチャンネル（以下、分析対象チャンネルと表記）と比較対象となるチャンネル（以下、比較対象チャンネルと表記）との視聴状況を比較分析する。これにより、比較分析部１７は、分析対象チャンネルの視聴状況と比較対象チャンネルの視聴状況との差異を示す指標を比較分析結果として取得する。
【００１９】
表示制御部１８は、比較分析部１７によって取得された比較分析結果（指標）を表示する。
【００２０】
なお、本実施形態に係る分析システム１０に含まれる各部１１〜１８は、１つの装置に配置されていてもよいし、複数の装置に配置されていてもよい。
【００２１】
本実施形態において、例えば視聴ログ収集部１１、視聴ログ格納部１２、統計データ計算部１３、番組情報格納部１４及び統計データ格納部１５は１つまたは複数の装置（サーバ装置）に配置されており、設定処理部１６、比較分析部１７及び表示制御部１８は、当該装置とは別個の装置（以下、分析装置と表記）に配置されているものとして説明する。
【００２２】
図２は、上記した分析装置のハードウェア構成の一例を示す。図２に示すように、分析装置は、ＣＰＵ１０１、不揮発性メモリ１０２、主メモリ１０３、入力デバイス１０４、表示デバイス１０５及び通信デバイス１０６等を備える。
【００２３】
ＣＰＵ１０１は、分析装置内の様々なコンポーネントの動作を制御するハードウェアプロセッサである。ＣＰＵ１０１は、ストレージデバイスである不揮発性メモリ１０２から主メモリ１０３にロードされる様々なプログラムを実行する。ＣＰＵ１０１によって実行されるプログラムには、オペレーティングシステム（ＯＳ）及び上記したように視聴状況を比較分析するためのプログラム（以下、比較分析プログラムと表記）等が含まれる。また、ＣＰＵ１０１は、例えばハードウェア制御のためのプログラムである基本入出力システム（ＢＩＯＳ）等も実行する。
【００２４】
なお、上記した設定処理部１６、比較分析部１７及び表示制御部１８の一部または全ては、ＣＰＵ１０１（つまり、分析装置のコンピュータ）に比較分析プログラムを実行させること、すなわちソフトウェアによって実現されるものとする。これら各部１６〜１８の一部または全ては、ＩＣ（Integrated Circuit）等のハードウェアによって実現されてもよいし、当該ソフトウェア及びハードウェアの組み合わせ構成として実現されてもよい。
【００２５】
上記した比較分析プログラムは、コンピュータ読み取り可能な記憶媒体に格納して頒布されてもよしいし、またはネットワークを通じて分析装置にダウンロードされてもよい。
【００２６】
なお、図１に示す分析システム１０が例えば１つの装置（分析装置）によって実現される場合には、視聴ログ収集部１１、統計データ計算部１３、設定処理部１６、比較分析部１７及び表示制御部１８を実現するための比較分析プログラムがＣＰＵ１０１によって実行されればよい。この場合、視聴ログ格納部１２、番組情報格納部１４及び統計データ格納部１５の各々は、例えば分析装置に備えられる不揮発性メモリ１０２等の記憶装置によって実現される。
【００２７】
入力デバイス１０４は、例えばキーボード及びマウス等を含む。表示デバイス１０５は、例えば液晶表示装置のようなディスプレイ等を含む。なお、入力デバイス１０４及び表示デバイス１０５は、例えばタッチスクリーンディスプレイのように一体として構成されていてもよい。
【００２８】
通信デバイス１０６は、例えば有線または無線による通信を実行するように構成されたデバイスである。
【００２９】
図３は、図１に示す視聴ログ格納部１２に格納されている視聴ログのデータ構造の一例を示す。
【００３０】
なお、視聴ログは上記したように視聴機器に対する視聴者の視聴履歴等のデータであるが、本実施形態において視聴履歴とは、例えば各チャンネルで放送された番組が当該視聴機器において表示され、視聴者が当該番組を視聴したと想定されることをいう。以下の説明においては、視聴者が番組を視聴したと想定される視聴機器を便宜的に当該番組に対して視聴履歴がある視聴機器と称する場合がある。
【００３１】
視聴ログ格納部１２には、各視聴機器のチャンネル毎の視聴開始日時及び視聴終了日時を視聴形態別に示す視聴ログが格納されている。具体的には、視聴ログは、図３に示すように、機器ＩＤ、視聴チャンネル、視聴開始日時、視聴終了日時及び視聴形態を含む。
【００３２】
機器ＩＤは、当該機器ＩＤを含む視聴ログを収集した視聴機器を識別するための識別情報である。
【００３３】
視聴チャンネルは、当該視聴チャンネルに対応づけられている機器ＩＤによって識別される視聴機器において視聴された番組等が放送されたチャンネルを示す。
【００３４】
視聴開始日時は、当該視聴開始日時に対応づけられている機器ＩＤによって識別される視聴機器において番組等の視聴を開始した日時等を示す。具体的には、視聴開始日時には、視聴を開始した日付、曜日及び時刻が含まれる。
【００３５】
視聴終了日時は、当該視聴終了日時に対応づけられている機器ＩＤによって識別される視聴機器において番組等の視聴を終了した日時等を示す。具体的には、視聴終了日時には、視聴を終了した日付、曜日及び時刻が含まれる。
【００３６】
視聴形態は、当該視聴形態に対応づけられている機器ＩＤによって識別される視聴機器における視聴開始時刻から視聴終了時刻までの視聴の形態であり、例えばライブ及び録画を含む。本実施形態において、ライブは、放送されている番組をリアルタイムで視聴したこと（リアルタイム視聴）を示す。一方、録画は、録画された番組を視聴したこと（録画視聴）を示す。
【００３７】
図３に示す例では、視聴ログ格納部１２には、視聴ログ１２１及び１２２を含む複数の視聴ログが格納されている。
【００３８】
視聴ログ１２１には、機器ＩＤ「０００１」、視聴チャンネル「ＣＨ０００１」、視聴開始日時「２０１７／９／１（Ｆｒｉ）８：００」、視聴終了日時「２０１７／９／１（Ｆｒｉ）８：３０」及び視聴形態「ライブ」が含まれている。
【００３９】
この視聴ログ１２１によれば、機器ＩＤ「０００１」によって識別される視聴機器において視聴チャンネル「ＣＨ０００１」で放送された番組が２０１７年９月１日（金曜日）の８時００分から８時３０分までリアルタイム視聴により視聴されたことが示されている。
【００４０】
また、視聴ログ１２２は、機器ＩＤ「０００２」、視聴チャンネル「ＣＨ０００４」、視聴開始日時「２０１７／９／１（Ｆｒｉ）１０：００」、視聴終了日時「２０１７／９／１（Ｆｒｉ）１１：００」及び視聴形態「録画」が含まれている。
【００４１】
なお、視聴形態が「録画」である場合の視聴開始日時及び視聴終了日時は、録画視聴した番組が実際に放送されていた日時を示すものとする。
【００４２】
すなわち、視聴ログ１２２によれば、機器ＩＤ「０００２」によって識別される視聴機器において視聴チャンネル「ＣＨ０００４」で２０１７年９月１日（金曜日）の１０時００分から１１時００分までに放送された番組が録画視聴により視聴されたことが示されている。
【００４３】
ここでは、視聴ログ１２１及び１２２についてのみ説明したが、視聴ログ格納部１２には、視聴ログを収集することができる全ての視聴機器から収集された多数の視聴ログが格納されている。
【００４４】
なお、視聴形態が「ライブ」である視聴ログの場合、当該視聴ログに含まれる視聴開始日時及び視聴終了日時は、実際に視聴が開始された日時及び視聴が終了された日時に相当する。
【００４５】
一方、視聴形態が「録画」である視聴ログの場合、当該視聴ログに含まれる視聴開始日時及び視聴終了日時は、実際に録画視聴された日時ではなく、上記したように録画視聴された番組が放送された日時に相当する。このため、図示されていないが、視聴形態が「録画」である視聴ログには、実際に録画視聴された日時等が更に含まれているものとする。
【００４６】
次に、図４に示すフローチャートを参照して、上記した統計データ計算部１３の処理手順の一例について説明する。ここでは、統計データとして、チャンネル毎の時間帯別視聴率が計算されるものとして説明する。
【００４７】
図４に示す処理は、例えば定期的に（予め定められた時間に）実行されてもよいし、視聴ログ格納部１２に予め定められた量の視聴ログ（例えば、１日分の視聴ログ）が格納（蓄積）された場合に実行されてもよい。
【００４８】
まず、統計データ計算部１３は、視聴ログを収集する各視聴機器において視聴可能な番組を放送する複数のチャンネル（放送局）の各々について以下のステップＳ１〜Ｓ５の処理を実行する。
【００４９】
この場合、統計データ計算部１３は、複数のチャンネルのうちの１つのチャンネルを選択する（ステップＳ１）。以下、ステップＳ１において選択されたチャンネルを対象チャンネルと称する。
【００５０】
次に、統計データ計算部１３は、視聴率を計算する時間帯毎に以下のステップＳ２〜Ｓ４の処理を実行する。なお、視聴率を計算する時間帯とは、図４に示す処理が過去１日分の視聴ログに基づいて視聴率を計算するのであれば、当該過去１日のうちの所定の時間区分（例えば、１分、１５分及び６０分等）で区切られた時間帯をいう。具体的には、例えばある日付の５時００分から翌日の５時００分までの視聴ログに基づいて視聴率を計算する場合であって時間区分が６０分である場合には、視聴率を計算する時間帯は、５時００分から６時００分までの時間帯、６時００分から７時００分までの時間帯、・・・、３時００分から４時００分までの時間帯、４時００分から５時００分までの時間帯となる。
【００５１】
この場合、統計データ計算部１３は、上記した視聴率を計算する時間帯のうちの１つを選択する（ステップＳ２）。以下、ステップＳ２において選択された時間帯を対象時間帯と称する。
【００５２】
統計データ計算部１３は、対象チャンネル及び対象時間帯に該当する視聴ログを、視聴ログ格納部１２から取得する（ステップＳ３）。ここで、ステップＳ３において取得される対象チャンネル及び対象時間帯に該当する視聴ログとは、対象チャンネルを視聴チャンネルとして含む視聴ログであって、視聴開始日時から視聴終了日時までの時間帯（以下、視聴時間帯と表記）の少なくとも一部が対象時間帯と重複する視聴ログである。
【００５３】
統計データ計算部１３は、ステップＳ３において取得された視聴ログに基づいて、対象時間帯における対象チャンネルに対する視聴率を計算する（ステップＳ４）。
【００５４】
ステップＳ４において、統計データ計算部１３は、ステップＳ３において取得された視聴ログの各々において視聴時間帯と対象時間帯との重複する時間（つまり、各視聴機器において対象時間帯に対象チャンネルの番組が視聴された時間）を特定し、当該特定された時間の合計値（視聴時間総数）を、視聴ログを収集可能な全機器数に対象時間帯の時間長を乗算した値で除算することによって視聴率を計算する。
【００５５】
なお、視聴率は、他の手法によって計算されても構わない。具体的には、ステップＳ３において取得された視聴ログに基づいて、対象時間帯において対象チャンネルで放送された番組に対して視聴履歴がある視聴機器の数（以下、対象視聴機器数と表記）をカウントし、視聴ログを収集可能な全機器数に対する当該対象視聴機器数の割合を視聴率として計算してもよい。
【００５６】
ここで、対象視聴機器数にカウントされる視聴機器は、対象時間帯において閾値以上の時間の対象チャンネルの番組に対する視聴履歴がある視聴機器であるものとする。すなわち、対象時間帯において閾値以上の時間の視聴履歴がない視聴機器については、上記した対象視聴機器数としてカウントされないものとする。なお、閾値は、固定値であってもよいし、対象時間帯に対する一定の割合に相当する時間であってもよい。例えば対象時間帯に対する少しの視聴であっても対象視聴機器数としてカウントする場合には、固定値は例えば１秒等とすることができるし、対象時間帯に対してある程度の時間の視聴履歴がなければ対象視聴機器数としてカウントしない場合には、固定値は例えば数十分等とすることができる。
【００５７】
ここで、上記した視聴率を計算する全ての時間帯についてステップＳ２〜Ｓ４の処理が実行されたか否かが判定される（ステップＳ５）。
【００５８】
全ての時間帯について処理が実行されていないと判定された場合（ステップＳ５のＮＯ）、ステップＳ２に戻って処理が繰り返される。この場合、処理が実行されていない時間帯がステップＳ２において選択される。
【００５９】
一方、全ての時間帯について処理が実行されたと判定された場合（ステップＳ５のＹＥＳ）、全てのチャンネルについてステップＳ１〜Ｓ５の処理が実行されたか否かが判定される（ステップＳ６）。
【００６０】
全てのチャンネルについて処理が実行されていないと判定された場合（ステップＳ６のＮＯ）、ステップＳ１に戻って処理が繰り返される。この場合、処理が実行されていないチャンネルがステップＳ１において選択される。
【００６１】
一方、全てのチャンネルについて処理が実行されたと判定された場合（ステップＳ６のＹＥＳ）、図４に示す処理は終了される。
【００６２】
このように図４に示す処理によれば、チャンネル毎の時間帯別視聴率が計算される。このように計算されたチャンネル毎の時間帯別視聴率を示すデータ（以下、時間帯別視聴率データと表記）は、統計データとして統計データ格納部１５に格納される。
【００６３】
なお、図５は、統計データ格納部１５に格納された時間帯別視聴率データのデータ構造の一例を示す。図５に示すように、時間帯別視聴率データは、チャンネル、時間帯及び視聴率（％）を含む。
【００６４】
図５に示す例では、統計データ格納部１５には、時間帯別視聴率データ１５１及び１５２を含む複数の時間帯別視聴率データが格納されている。
【００６５】
時間帯別視聴率データ１５１には、チャンネル「ＣＨ０００１」、時間帯「２０１７／９／１（Ｆｒｉ）５：００−２０１７／９／１（Ｆｒｉ）６：００」及び視聴率「２．２」を含む。この時間帯別視聴率データ１５１によれば、２０１７年９月１日（金曜日）の５時００分から６時００分までの時間帯におけるチャンネル「ＣＨ０００１」に対する視聴率が２．２％であることが示されている。
【００６６】
また、時間帯別視聴率データ１５２には、チャンネル「ＣＨ０００２」、時間帯「２０１７／９／１（Ｆｒｉ）５：００−２０１７／９／１（Ｆｒｉ）６：００」及び視聴率「２．９」を含む。この時間帯別視聴率データ１５２によれば、２０１７年９月１日（金曜日）の５時００分から６時００分までの時間帯におけるチャンネル「ＣＨ０００２」に対する視聴率が２．９％であることが示されている。
【００６７】
ここでは、時間帯別視聴率データ１５１及び１５２について説明したが、統計データ格納部１５には、全てのチャンネル毎の時間帯別視聴率を示す時間帯別視聴率データが格納されている。なお、統計データ格納部１５に格納される時間帯別視聴率データによって示される時間帯別視聴率は、上記したように６０分間隔の時間帯毎の視聴率であってもよいし、例えば１５分または１分間隔の時間帯毎の視聴率であってもよい。また、６０分間隔の時間帯毎の視聴率、１５分間隔の時間帯毎の視聴率、１分間隔の時間帯毎の視聴率の全てを示す視聴率データが統計データ格納部１５に格納されていてもよい。この場合には、間隔の異なる時間帯毎に上記した図４の処理が実行されればよい。
【００６８】
ここで、図４の処理は、例えば視聴形態毎に実行されるものとする。すなわち、図４に示すステップＳ３において視聴形態が「ライブ」である視聴ログのみが取得される場合には、チャンネル毎の時間帯別のリアルタイム視聴による視聴率を計算することができる。一方、図４に示すステップＳ３において視聴形態が「録画」である視聴ログのみが取得される場合には、チャンネル毎の時間帯別の録画視聴による視聴率を計算することができる。
【００６９】
これによれば、図５に示すような時間帯別視聴率データは、視聴形態毎に統計データ格納部１５に格納されることになる。
【００７０】
なお、同一時間帯における同一チャンネル（つまり、同一の番組）に対する録画視聴は同一の視聴機器において複数回行われる場合があるが、このような同一の視聴機器による複数回の録画視聴は１回の視聴として扱うものとする。同一の視聴機器による複数回の録画視聴であるか否かは、視聴形態が「録画」である視聴ログに含まれる機器ＩＤ、視聴開始日時及び視聴終了日時から判別可能である。なお、同一の視聴機器による複数回の録画視聴を当該複数回の視聴としてそのままカウントしても構わない。
【００７１】
ここでは、視聴形態別に視聴率が計算されるものとして説明したが、例えば図４に示すステップＳ３において視聴形態が「ライブ」である視聴ログ及び「録画」である視聴ログの両方が取得されることによって、チャンネル毎の時間帯別のリアルタイム視聴及び録画視聴による合算視聴率を計算することも可能である。この場合、同一時間帯における同一チャンネルに対するリアルタイム視聴及び録画視聴が同一の視聴機器において行われる（つまり、同一の番組がリアルタイムでも視聴され、録画でも視聴される）場合があるが、このような同一の視聴機器によるリアルタイム視聴及び録画視聴は１回の視聴として扱うものとする。同一時間帯における同一チャンネル（つまり、同一の番組）に対するリアルタイム視聴及び録画視聴が同一の視聴機器において行われているか否かは、視聴ログに含まれる機器ＩＤ、視聴開始日時、視聴終了日時及び視聴形態から判別可能である。なお、同一の視聴機器において同一の番組がリアルタイムで視聴され、かつ、録画でも視聴された場合には２回の視聴としてカウントしてもよいし、更に、当該番組が複数回録画視聴されている場合には、当該録画視聴の回数についてもそのまま視聴の回数としてカウントしてもよい。
【００７２】
また、図４においてはチャンネル毎の時間帯別視聴率が計算されるものとして説明したが、統計データ計算部１３は、統計データとして、番組情報格納部１４に格納されている番組情報を用いて番組別視聴率を計算することも可能である。
【００７３】
以下、図６のフローチャートを参照して、番組別視聴率を計算する場合の統計データ計算部１３の処理手順の一例について説明する。
【００７４】
図６に示す処理は、図４に示す処理と同様に、例えば定期的に実行されてもよいし、視聴ログ格納部１２に予め定められた量の視聴ログが格納された場合に実行されてもよい。
【００７５】
まず、統計データ計算部１３は、視聴ログを収集する各視聴機器において視聴可能な番組を放送する複数のチャンネルの各々について以下のステップＳ１１〜Ｓ１５の処理を実行する。
【００７６】
この場合、統計データ計算部１３は、複数のチャンネルのうちの１つのチャンネルを選択する（ステップＳ１１）。以下、ステップＳ１１において選択されたチャンネルを対象チャンネルと称する。
【００７７】
次に、統計データ計算部１３は、対象チャンネルで放送された番組（つまり、視聴率を計算する番組）毎に以下のステップＳ１２〜Ｓ１４の処理を実行する。この処理は、図５に示す処理が過去１日分の視聴ログに基づいて視聴率を計算するのであれば、当該過去１日のうちに対象チャンネルで放送された番組毎に実行される。なお、対象チャンネルで放送された番組は、番組情報格納部１４に格納されている番組情報に基づいて特定することができる。
【００７８】
この場合、統計データ計算部１３は、番組情報に基づいて、上記した対象チャンネルで放送された番組のうちの１つの番組を選択する（ステップＳ１２）。以下、ステップＳ１２において選択された番組を対象番組と称する。
【００７９】
統計データ計算部１３は、対象チャンネル及び対象番組に該当する視聴ログを、視聴ログ格納部１２から取得する（ステップＳ１３）。ここで、ステップＳ１３において取得される対象チャンネル及び対象番組に該当する視聴ログとは、対象チャンネルを視聴チャンネルとして含む視聴ログであって、視聴開始日時から視聴終了日時までの時間帯（視聴時間帯）の少なくとも一部が対象番組の放送時間帯と重複する視聴ログである。なお、対象番組の放送時間帯は、番組情報に含まれる放送開始日時から放送終了日時までの時間帯である。
【００８０】
統計データ計算部１３は、ステップＳ１３において取得された視聴ログに基づいて、対象番組に対する視聴率を計算する（ステップＳ１４）。なお、ステップＳ１４の処理は、上記した図４に示すステップＳ４における対象時間帯を対象番組の放送時間帯とした点以外は当該ステップＳ４の処理と同様であるため、ここではその詳しい説明を省略する。
【００８１】
ここで、上記した対象チャンネルで放送された全ての番組についてステップＳ１２〜Ｓ１４の処理が実行されたか否かが判定される（ステップＳ１５）。
【００８２】
全ての番組について処理が実行されていないと判定された場合（ステップＳ１５のＮＯ）、ステップＳ１２に戻って処理が繰り返される。この場合、処理が実行されていない番組がステップＳ１２において選択される。
【００８３】
一方、全ての番組について処理が実行されたと判定された場合（ステップＳ１５のＹＥＳ）、全てのチャンネルについてステップＳ１１〜Ｓ１５の処理が実行されたか否かが判定される（ステップＳ１６）。
【００８４】
全てのチャンネルについて処理が実行されていないと判定された場合（ステップＳ１６のＮＯ）、ステップＳ１１に戻って処理が繰り返される。この場合、処理が実行されていないチャンネルがステップＳ１１において選択される。
【００８５】
一方、全てのチャンネルについて処理が実行されたと判定された場合（ステップＳ１６のＹＥＳ）、図６の処理は終了される。
【００８６】
このような図６に示す処理によれば、各チャンネルで放送される番組別視聴率が計算される。詳細な説明については省略するが、このように計算された番組別視聴率を示すデータ（以下、番組別視聴率データと表記）は、上記した時間帯別視聴率データと同様に、統計データ格納部１５に格納される。
【００８７】
なお、上記した図４に示す処理と同様に、図６に示す処理は、例えば視聴形態毎に実行されるものとする。この視聴形態毎に実行される場合の処理については、上記した図４において説明した通りであるため、ここではその詳しい説明を省略する。
【００８８】
本実施形態においては、上記したように統計データ格納部１５に格納された統計データに基づいて分析対象と比較対象との視聴状況を比較分析する処理（以下、比較分析処理と表記）が実行される。
【００８９】
以下、本実施形態において実行される比較分析処理について説明する。なお、この比較分析処理は、分析システム１０に含まれる設定処理部１６、比較分析部１７及び表示制御部１８（つまり、分析装置）によって実行される。
【００９０】
比較分析処理が実行される場合、表示制御部１８は、分析装置に備えられる入力デバイス１０４を用いて分析者が当該比較分析処理に関する条件を入力可能なグラフィカルユーザインタフェース画面（以下、ＧＵＩ画面と表記）を表示（提供）する。
【００９１】
ここで、図７を参照して、表示制御部１８によって表示されるＧＵＩ画面の概要について説明する。このＧＵＩ画面は、上記した分析装置が備える表示デバイス１０５等に表示される。
【００９２】
図７に示すように、ＧＵＩ画面２００には、条件入力領域２０１、分析対象領域２０２、比較対象領域２０３及び比較分析結果表示領域２０４が設けられている。
【００９３】
条件入力領域２０１は、分析者が所望の比較分析結果を得るための条件を入力するための領域である。
【００９４】
分析対象領域２０２は、分析対象選択領域２０２ａ及び視聴状況表示領域２０２ｂを含む。
【００９５】
分析対象選択領域２０２ａは、分析対象を選択するための領域である。本実施形態において、分析者は、分析対象として例えばチャンネルを選択可能である。
【００９６】
視聴状況表示領域２０２ｂは、分析対象選択領域２０２ａにおいて選択されたチャンネル（分析対象チャンネル）の視聴状況を表示するための領域である。なお、視聴状況表示領域２０２ｂには、例えば分析対象チャンネルに対する視聴率が表示される。
【００９７】
比較対象領域２０３は、比較対象選択領域２０３ａ及び視聴状況表示領域２０３ｂを含む。
【００９８】
比較対象選択領域２０３ａは、分析対象と比較される比較対象を選択するための領域である。本実施形態において、分析者は、比較対象として例えばチャンネルを選択可能である。
【００９９】
視聴状況表示領域２０３ｂは、比較対象選択領域２０３ｂにおいて選択されたチャンネル（比較対象チャンネル）の視聴状況を表示するための領域である。なお、視聴状況表示領域２０３ｂには、例えば比較対象チャンネルに対する視聴率が表示される。
【０１００】
比較分析結果表示領域２０４は、上記した分析対象チャンネルの視聴状況と比較対象チャンネルの視聴状況との差異を示す指標を比較分析結果として表示するための領域である。
【０１０１】
ここでは、ＧＵＩ画面の概要について簡単に説明したが、当該ＧＵＩ画面の具体例については後述する。
【０１０２】
次に、図８のフローチャートを参照して、比較分析処理の処理手順の一例について説明する。
【０１０３】
まず、分析者は、上記したＧＵＩ画面２００に設けられている条件入力領域２０１に対して比較分析処理に関する条件を入力することができる。この比較分析処理に関する条件は、統計データ格納部１５から必要なデータを集計するための条件であり、以下の説明においては集計条件と称する。
【０１０４】
設定処理部１６は、条件入力領域２０１に対する分析者の入力に応じて集計条件を設定する（ステップＳ２１）。
【０１０５】
また、分析者は、ＧＵＩ画面２００に設けられている分析対象選択領域２０２ａにおいてチャンネルを選択することができる。
【０１０６】
設定処理部１６は、分析者が分析対象選択領域２０２ａにおいて選択したチャンネルを分析対象チャンネルとして設定する（ステップＳ２２）。
【０１０７】
ステップＳ２２において分析対象チャンネルが設定されると、比較分析部１７は、ステップＳ２１において設定された集計条件に合致する分析対象チャンネルの視聴状況を、統計データ格納部１５から取得する（ステップＳ２３）。
【０１０８】
更に、分析者は、ＧＵＩ画面２００に設けられている比較対象選択領域２０３ａにおいてチャンネルを選択することができる。
【０１０９】
設定処理部１６は、分析者が比較対象選択領域２０３ａにおいて選択したチャンネルを比較対象チャンネルとして設定する（ステップＳ２４）。
【０１１０】
ステップＳ２４において比較対象チャンネルが設定されると、比較分析部１７は、ステップＳ２１において設定された集計条件に合致する比較対象チャンネルの視聴状況を、統計データ格納部１５から取得する（ステップＳ２５）。
【０１１１】
次に、比較分析部１７は、ステップＳ２３において取得された分析対象チャンネルの視聴状況とステップＳ２５において取得された比較対象チャンネルの視聴状況とに基づいて比較分析結果となる指標を計算する（ステップＳ２６）。
【０１１２】
ステップＳ２６において算出される指標は、例えば分析対象チャンネルと比較対象チャンネルとの視聴状況の差異を示す。
【０１１３】
ここで、分析対象チャンネルの視聴状況をＡ、比較対象チャンネルとの視聴状況をＢとすると、ステップＳ２６において計算される指標は、例えばＡ−Ｂのような差分によって表されるが、当該分析対象チャンネル及び比較対象チャンネル間の視聴状況の差異を示すことが可能なものであればよく、Ａ／Ｂ、Ａ／（Ａ＋Ｂ）等の割合で表されてもよい。また、指標の計算には、正規化されたＡ及びＢが用いられても構わない。
【０１１４】
表示制御部１８は、ステップＳ２６において計算された指標が反映されたＧＵＩ画面２００を表示する（ステップＳ２７）。なお、ステップＳ２７において表示されるＧＵＩ画面２００において、例えばステップＳ２３において取得された分析対象チャンネルの視聴状況は、視聴状況表示領域２０２ｂに割り当てられる。また、ステップＳ２５において取得された比較対象チャンネルの視聴状況は、視聴状況表示領域２０３ｂに割り当てられる。更に、ステップＳ２６において取得された指標は、比較分析結果表示領域２０４に割り当てられる。
【０１１５】
図９は、分析対象チャンネルと比較対象チャンネルとの視聴状況の差異を示す指標が表示されたＧＵＩ画面の具体例を示す。以下では、各チャンネルの視聴状況は上記した視聴率であるものとして説明する。
【０１１６】
なお、図９においては、上記した図７において説明したＧＵＩ画面との対応関係を明確にするために、当該図７と同一の参照符号が付されている。
【０１１７】
図９に示すように、ＧＵＩ画面２００に設けられている条件入力領域２０１においては、集計条件として、例えば比較分析範囲、時間区分、視聴形態、指標及び数値表示を入力（設定）することができる。
【０１１８】
比較分析範囲は、比較分析処理を実行する範囲（時間帯）を示す。図９に示す例では、比較分析範囲として５時から２９時（翌日の５時）までの範囲が入力されている。
【０１１９】
時間区分は、上記した比較分析範囲内で指標を計算（表示）する時間区分を示す。時間区分においては、例えば「６０分」、「１５分」及び「１分」等を入力することができる。本実施形態においては、比較分析範囲内の区分された時間帯（時間区分）毎に視聴率が比較分析される。
【０１２０】
図９に示す例では時間区分として「６０分」が入力されているが、この場合には、比較分析範囲である５時から２９時までの範囲の１時間毎に、分析対象チャンネルと比較対象チャンネルとの視聴率が比較分析される。
【０１２１】
視聴形態としては、上記した「ライブ」、「録画」及び「合算」のうちの１つを入力することができる。視聴形態として「ライブ」が入力されている場合には、リアルタイム視聴による視聴率が比較分析される。また、視聴形態として「録画」が入力されている場合には、録画視聴による視聴率が比較分析される。また、視聴形態として「合算」が入力されている場合には、リアルタイム視聴及び録画視聴による合算視聴率が比較分析される。
【０１２２】
なお、リアルタイム視聴による視聴率、録画視聴による視聴率及び合算視聴率については上記した通りであるため、ここではその詳しい説明を省略する。
【０１２３】
指標は、ＧＵＩ画面２００において比較分析結果として表示される指標の態様を示す。指標の態様としては、図９に示すように例えば「差分（Ａ−Ｂ）」を入力することが可能であるが、上記したように「割合（Ａ／ＢまたはＡ／（Ａ＋Ｂ））」等が入力されても構わない。
【０１２４】
数値表示は、以下に説明する視聴状況表示領域２０２ｂ、視聴状況表示領域２０３ｂ及び比較分析結果表示領域２０４において数値（ここでは、視聴率）を表示するか否かを示す。数値表示としては、「表示」及び「非表示」を入力することができる。
【０１２５】
なお、ここでは集計条件として比較分析範囲、時間区分、視聴形態、指標及び数値表示について説明したが、集計条件は、これらのうちの少なくとも１つが省略されていてもよいし、これら以外のものが更に入力可能であってもよい。
【０１２６】
次に、ＧＵＩ画面２００に設けられている分析対象領域２０２について説明する。分析対象領域２０２に含まれる分析対象選択領域２０２ａにおいては、分析対象チャンネルを選択することができる。図９に示す例では、分析対象選択領域２０２ａにおいては、「放送局１」〜「放送局６」の中から分析対象チャンネル（当該放送局に割り当てられているチャンネル）を選択することができる。
【０１２７】
図９に示すように分析対象チャンネルとして「放送局１（放送局１に割り当てられているチャンネル）」が選択されているものとすると、分析対象領域２０２に含まれる視聴状況表示領域２０２ｂには、当該放送局１に対する視聴率が表示される。
【０１２８】
ここで、図９に示すように、分析対象選択領域２０２ａにおいては、放送日、曜日及び祝日に関する条件を設定（指定）することができる。
【０１２９】
放送日に関する条件としては、例えば特定の日付（１日）を設定することが可能である。この場合、視聴状況表示領域２０２ｂには、放送日に関する条件として設定された特定の日付の分析対象チャンネルに対する視聴率が表示される。なお、放送日に関する条件としては、２つの異なる日付を入力することによって一定の期間（複数の日付を含む期間）を設定することも可能である。この場合、視聴状況表示領域２０２ｂには、放送日に関する条件として設定された期間中の視聴率の平均が時間区分毎に表示される。
【０１３０】
上記したように放送日に関する条件として一定の期間が設定された場合には、曜日に関する条件として、例えば「すべて」及び１週間のうちの特定の曜日を設定可能である。曜日に関する条件として「すべて」が設定されている場合、視聴状況表示領域２０２ｂには、上記したように放送日に関する条件として設定されている一定の期間中の全ての日付（曜日）の視聴率の平均が表示される。一方、曜日に関する条件として特定の曜日（例えば、月曜日等）が設定されている場合、視聴状況表示領域２０２ｂには、放送日に関する条件として設定されている一定の期間のうち、当該特定の曜日のみの視聴率の平均が表示される。
【０１３１】
同様に、放送日に関する条件として一定の期間が設定された場合には、祝日に関する条件として、例えば「指定なし」及び「指定あり」を設定可能である。祝日に関する条件として「指定なし」が設定されている場合、視聴状況表示領域２０２ｂには、放送日に関する条件として設定されている一定の期間中の全ての日付の視聴率の平均が表示される。一方、祝日に関する条件として「指定あり」が設定されている場合、視聴状況表示領域２０２ｂには、放送日に関する条件として設定されている一定の期間のうち、祝日のみの視聴率の平均が表示される。
【０１３２】
なお、曜日に関する条件として特定の曜日が設定され、祝日に関する条件として「指定有」が設定されている場合には、視聴状況表示領域２０２ｂには、放送日に関する条件として設定されている一定の期間のうち、特定の曜日、かつ、祝日の視聴率（の平均）が表示される。
【０１３３】
視聴状況表示領域２０２ｂには、図９に示すように、分析対象選択領域２０２ａにおいて選択された分析対象チャンネル名（放送局名）が表示されるとともに、当該分析対象チャンネルに対する視聴率が上記した比較分析範囲内の区分された時間帯毎に時系列順に並べて表示される。なお、視聴状況表示領域２０２ｂにおいて、各時間帯の視聴率は例えば当該視聴率の高低を色彩で表したヒートマップ形式で表示される。このヒートマップ形式の表示については後述する。
【０１３４】
ＧＵＩ画面２００に設けられている比較対象領域２０３（比較対象選択領域２０３ａ及び視聴状況表示領域２０３ｂ）は、分析対象選択領域２０２ａにおいて分析対象チャンネルが選択されるのに対して、比較対象選択領域２０３ａにおいて比較対象チャンネルが選択される点以外は分析対象領域２０２と同様である。すなわち、比較対象選択領域２０３ａにおいては比較対象チャンネルを選択することができ、視聴状況表示領域２０３ｂには比較対象チャンネルに対する視聴率が比較分析範囲内の区分された時間帯毎に時系列順に並べてヒートマップ形式で表示される。
【０１３５】
次に、ＧＵＩ画面２００に設けられている比較分析結果表示領域２０４について説明する。比較分析結果表示領域２０４には、視聴状況表示領域２０２ｂに表示されている分析対象チャンネルに対する時間帯毎の視聴率と視聴状況表示領域２０３ｂに表示されている比較対象チャンネルに対する時間帯毎の視聴率との差異を示す指標が表示される。
【０１３６】
なお、比較分析結果表示領域２０４に表示される指標の態様は、上記した条件入力領域２０１において指標として入力された内容（例えば、差分等）に従うものとする。
【０１３７】
また、比較分析結果表示領域２０４において、指標は、上記した視聴状況表示領域２０２ｂ及び２０３ｂと同様に、比較分析範囲内の区分された時間帯毎に時系列順に並べて表示される。また、比較分析結果表示領域２０４において、時間帯毎の指標は、当該指標の高低を色彩で表したヒートマップ形式で表示される。
【０１３８】
以下、図９を用いて、本実施形態における比較分析処理について具体的に説明する。まず、設定処理部１６は、条件入力領域２０１に対する分析者の入力に応じて集計条件を設定する。ここでは、図９に示すように、比較分析範囲として５時から２９時までの範囲、時間区分として「６０分」、視聴形態として「ライブ」、指標として「差分（Ａ−Ｂ）」及び数値表示として「表示」が設定されたものとする。
【０１３９】
また、設定処理部１６は、分析対象選択領域２０２ａにおいて分析者によって選択されたチャンネルを分析対象チャンネルとして設定する。ここでは、図９に示すように、放送局１に割り当てられているチャンネルが分析対象チャンネルとして設定されたものとする。
【０１４０】
なお、分析対象選択領域２０２ａにおいては、上記したように放送日、曜日及び祝日に関する条件を設定することができる。ここでは、放送日に関する条件として「２０１７／０９／０１〜２０１７／０９／０１（つまり、２０１７年９月１日）」、曜日に関する条件として「すべて」、祝日に関する条件として「指定なし」が設定されたものとする。
【０１４１】
次に、比較分析部１７は、分析対象チャンネルの視聴状況を、統計データ格納部１５から取得する。
【０１４２】
ここで、集計条件としては、上記したように集計条件の比較分析範囲として５時から２９時までの範囲、時間区分として「６０分」、視聴形態として「ライブ」が設定されている。また、放送日に関する条件としては２０１７年９月１日が設定されている。
【０１４３】
この場合、比較分析部１７は、統計データ格納部１５から、２０１７年９月１日の５時から２９時（２０１７年９月２日の５時）までの放送局１に割り当てられたチャンネル（分析対象チャンネル）に対する６０分毎の各時間帯のリアルタイム視聴による視聴率（以下、分析対象視聴率と表記）を取得する。なお、この分析対象視聴率は、統計データ格納部１５に格納されている時間帯別視聴率データに基づいて取得可能である。
【０１４４】
このように比較分析部１７によって取得された分析対象視聴率は、時系列順に並べて視聴状況表示領域２０２ｂに表示される。
【０１４５】
なお、上記したように視聴状況表示領域２０２ｂにおいて分析対象視聴率はヒートマップ形式で表示されるが、当該ヒートマップ形式での表示（以下、ヒートマップ表示と表記）について簡単に説明する。
【０１４６】
この場合、比較分析部１７は、分析対象視聴率（分析対象チャンネルに対する各時間帯の視聴率）のうちの最大値及び最小値を特定し、当該最大値及び最小値にそれぞれ異なる色彩を割り当てる。ここでは、最大値に割り当てられた色彩を第１色彩、最小値に割り当てられた色彩を第２色彩と称する。図９に示す例では、最大値は５．７（％）、最小値は１．０（％）であり、例えば最大値には第１色彩として緑色、最小値には第２色彩として青色等を割り当てることができる。
【０１４７】
ヒートマップ表示においては、例えば分析対象視聴率のうち視聴率が最大である時間帯には濃度の最も高い第１色彩を付し、分析対象視聴率のうち視聴率が最小である時間帯には濃度の最も高い第２色彩を付すものとする。なお、分析対象視聴率のうち視聴率が最大値と最小値との中間である時間帯には例えば白色等の色彩（以下、第３色彩と表記）を付すものとする。
【０１４８】
なお、分析対象視聴率のうち視聴率が最大値と最小値との中間値から最大値までの間に位置する時間帯には、例えば当該視聴率に応じて濃度が調節された第１色彩が付されるものとする。同様に、分析対象視聴率のうち視聴率が中間値から最小値までの間に位置する時間帯には当該視聴率に応じて濃度が調節された第２色彩が付されるものとする。
【０１４９】
上記した分析対象視聴率における各時間帯に付される色彩（濃度）を決定する処理については、当該分析対象視聴率に基づいて比較分析部１７によって実行される。
【０１５０】
図９に示す例では、視聴率が最大である２１時台（２１時から２２時まで）の時間帯には、濃度の最も高い第１色彩が付される。また、視聴率が最小である７時台（７時から８時まで）の時間帯には、濃度の最も高い第２色彩が付される。また、視聴率が中間値付近である２２時台（２２時から２３時まで）の時間帯には、第３色彩が付される。
【０１５１】
一方、視聴率が中間値から最大値までの間である例えば２０時台（２０時から２１時まで）の時間帯には、当該視聴率に応じた濃度の第１色彩が付される。また、視聴率が中間値から最小値までの間である例えば１４時台（１４時から１５時まで）の時間帯には、当該視聴率に応じた濃度の第２色彩が付される。
【０１５２】
なお、上記した集計条件の数値表示としては「表示」が設定されているため、視聴状況表示領域２０２ｂにおいては時間帯毎に色彩だけではなく数値（視聴率）も表示されている。数値表示として「非表示」が設定されている場合、視聴状況表示領域２０２ｂにおいては、視聴率が色彩のみで表示され、数値は表示されない。このように数値が表示されない場合であっても、分析者は、各時間帯に付された色彩によって視聴率の高低を直感的に把握することができる。
【０１５３】
更に、設定処理部１６は、比較対象選択領域２０３ａにおいて分析者によって選択されたチャンネルを分析対象チャンネルとして設定する。ここでは、図９に示すように、放送局５に割り当てられているチャンネルが分析対象チャンネルとして設定されたものとする。
【０１５４】
なお、比較対象選択領域２０３ａにおいては、分析対象選択領域２０２ａと同様に、放送日、曜日及び祝日に関する条件を設定することができる。ここでは、放送日に関する条件として「２０１７／０９／０１〜２０１７／０９／０１（つまり、２０１７年９月１日）」、曜日に関する条件として「すべて」、祝日に関する条件として「指定なし」が設定されたものとする。
【０１５５】
次に、比較分析部１７は、分析対象チャンネルの視聴状況を、統計データ格納部１５から取得する。この場合、比較分析部１７は、統計データ格納部１５から、２０１７年９月１日の５時から２９時（２０１７年９月２日の５時）までの放送局５に割り当てられたチャンネル（比較対象チャンネル）に対する６０分毎の各時間帯のリアルタイム視聴による視聴率（以下、比較対象視聴率と表記）を取得する。なお、この比較対象視聴率は、統計データ格納部１５に格納されている時間帯別視聴率データに基づいて取得可能である。
【０１５６】
このように比較分析部１７によって取得された比較対象視聴率は、時系列順に並べて視聴状況表示領域２０３ｂに表示される。
【０１５７】
なお、視聴状況表示領域２０３ｂにおいて、比較対象視聴率はヒートマップ形式で表示される。ヒートマップ形式での表示については、視聴状況表示領域２０２ｂにおいて説明した通りであるため、ここではその詳しい説明を省略する。なお、視聴状況表示領域２０３ｂにおいて表示される色彩（比較対象視聴率のうちの最大値及び最小値に割り当てられる色彩）は、視聴状況表示領域２０２ｂと同一であってもよいし、異なっていてもよい。
【０１５８】
次に、比較分析部１７は、分析対象視聴率（分析対象チャンネルに対する視聴率）と比較対象視聴率（比較対象チャンネルに対する視聴率）との差異を示す指標を計算する。ここで、集計条件の指標としては「差分（Ａ−Ｂ）」が設定されている。
【０１５９】
この場合、比較分析部１７は、分析対象視聴率と比較対象視聴率との差分（分析対象視聴率−比較対象視聴率）を指標として計算する。具体的には、比較分析部１７は、分析対象視聴率と比較対象視聴率との同一の時間帯における視聴率の差分を、当該時間帯毎に計算する。
【０１６０】
このように比較分析部１７によって時間帯毎に計算された指標は、時系列順に並べて比較分析結果表示領域２０４に表示されることができる。すなわち、指標は、分析対象視聴率及び比較対象視聴率に対応づけて表示される。
【０１６１】
なお、指標は、上記した視聴状況表示領域２０２ｂに表示される分析対象視聴率及び視聴状況表示領域２０３ｂに表示される比較対象視聴率と同様に、ヒートマップ形式で表示される。
【０１６２】
ここで、上記した視聴状況表示領域２０２ｂにおいては分析対象視聴率のうちの視聴率が最大値と最小値との中間である時間帯に第３色彩を付す（つまり、視聴率が中間値よりも高いか低いかに応じて付される色彩を変える）ことによって、分析対象視聴率の中で視聴率が比較的高いまたは低い時間帯を容易に把握することができるようにしている。
【０１６３】
一方、指標に関しては、指標が正の値である時間帯は、分析対象チャンネルに対する視聴率が比較対象チャンネルに対する視聴率よりも高い時間帯である。指標が負の値である時間帯は、分析対象チャンネルに対する視聴率が比較対象チャンネルに対する視聴率よりも低い時間である。
【０１６４】
比較分析結果表示領域２０４においては、このような分析対象視聴率と比較対象視聴率との大小関係を容易に把握することが有用であるため、指標が０である時間帯に第３色彩を付す（つまり、指標値が０よりも高いか低いかに応じて付される色彩を変える）ようにする。これによれば、比較対象視聴率に対して分析対象視聴率が高いまたは低い時間帯を色彩によって容易に把握することが可能となる。
【０１６５】
本実施形態においては、上記したように表示されるＧＵＩ画面２００を参照することによって、分析者は容易に分析対象視聴率及び比較対象視聴率の比較分析結果を把握することが可能となる。
【０１６６】
なお、図９に示すように、例えば分析対象チャンネルとして放送局１に割り当てられたチャンネルを選択し、比較対象チャンネルとして放送局５に割り当てられたチャンネルを選択し、放送日に関する条件として同日（２０１７年９月１日）が設定された場合、分析者は、２０１７年９月１日の各時間帯における分析対象チャンネルと比較対象チャンネルとの視聴率の差異を比較分析することができる。図９に示す比較分析結果表示領域２０４に表示された指標によれば、分析者は、２０１７年９月１日の分析対象チャンネルに対する日中の視聴率は同日の比較対象チャンネルに対する視聴率よりも比較的低いが、分析対象チャンネルに対する深夜の視聴率は比較対象チャンネルに対する視聴率よりも高いという比較分析結果を得ることができる。
【０１６７】
また、図９に示す例とは異なるが、分析対象チャンネル及び比較対象チャンネルとして同一のチャンネルを選択することも可能である。このような場合には、分析対象選択領域２０２ａ及び比較対象選択領域２０３ａにおける放送日に関する条件としてそれぞれ異なる日付を設定することによって、日付（日時）が異なることによって生じる同一チャンネルに対する視聴率の差異を比較分析することが可能となる。
【０１６８】
ここでは、比較分析範囲内の区分された時間帯毎の視聴率を比較分析するものとして説明したが、例えば条件入力領域２０１においては、時間区分として例えば「番組」を入力することができるものとする。
【０１６９】
このように時間区分として「番組」が入力（設定）された場合、視聴状況表示領域２０２ｂには、図１０に示すように分析対象チャンネルで放送された番組単位で（つまり、番組の放送開始日時から放送終了日時までの時間帯毎に）視聴率が表示される。なお、番組単位の視聴率は、統計データ格納部１５に格納されている番組別視聴率データに基づいて取得可能である。
【０１７０】
ここで、分析対象チャンネルにおける各番組の放送開始時刻及び放送終了時刻と、比較対象チャンネルにおける各番組の放送開始時刻及び放送終了時刻とは一致していない場合が多い。このため、例えば視聴状況表示領域２０３ｂにおいて比較対象チャンネルで放送された番組単位で視聴率を表示した場合には、分析対象チャンネルに対する視聴率と比較対象チャンネルに対する視聴率とを比較分析することが困難である。
【０１７１】
このため、視聴状況表示領域２０２ｂにおいて番組単位の視聴率を表示した場合には、当該番組の放送開始時間から放送終了時間までの時間帯（放送時間帯）毎の比較対象チャンネルに対する視聴率が計算され、当該放送時間帯に対応する時間帯毎の視聴率が視聴状況表示領域２０３ｂに表示されるものとする。
【０１７２】
これによれば、図１０に示すように、分析対象チャンネルで放送された番組単位の視聴率と、当該番組の放送時間帯に対応する時間帯における比較対象チャンネルに対する視聴率との差異を示す指標を比較分析結果表示領域２０４に表示することができる。
【０１７３】
上記したように本実施形態においては、ＧＵＩ画面において複数のチャンネルを選択可能とし、分析対象チャンネル（第１チャンネル）と比較対象チャンネル（第２チャンネル）とが選択された場合に、第１時間帯における分析対象チャンネルと比較対象チャンネルとの視聴状況の差異を示す第１指標と、第１時間帯の後の第２時間帯における分析対象チャンネルと比較対象チャンネルとの視聴状況との差異を示す第２指標とを時系列順に並べて表示する。
【０１７４】
本実施形態においては、このような構成により、チャンネルの視聴状況を容易に比較分析することが可能となる。
【０１７５】
なお、第１時間帯における分析対象チャンネルの視聴状況と第２時間帯における分析対象チャンネルの視聴状況とは時系列順に並べて表示され、第１時間帯における比較対象チャンネルの視聴状況と第２時間帯における比較対象チャンネルの視聴状況とは時系列順に並べて表示される。このような構成によれば、分析者は、上記した分析対象チャンネルと比較対象チャンネルとの視聴状況の差異を示す指標とともに、当該分析対象チャンネルの視聴状況及び比較対象チャンネルの視聴状況についても同様に把握することが可能となる。
【０１７６】
また、本実施形態においては、分析対象チャンネルについて第１日付（放送日に関する条件）を設定可能であり、比較対象チャンネルについて第２日付（放送日に関する条件）を設定可能である。
【０１７７】
このような構成によれば、例えば分析対象チャンネル及び比較対象チャンネルとして異なるチャンネルを選択し、第１日付及び第２日付として同日を設定することによって、同日の同時間帯における異なるチャンネルの視聴状況を比較分析することが可能となる。また、例えば分析対象チャンネル及び比較対象チャンネルとして同一のチャンネルを選択し、第１日付及び第２日付として異なる日付を設定することによって、特定のチャンネルに対する異なる日付の視聴状況を比較分析することが可能となる。
【０１７８】
また、本実施形態においては、分析対象チャンネルについて第１期間（放送日に関する条件）を設定可能であり、比較対象チャンネルについて第２期間（放送日に関する条件）を設定可能である。このような構成によれば、設定された期間中の分析対象チャンネル及び比較対象チャンネルの視聴状況を比較分析することが可能となる。
【０１７９】
また、本実施形態においては、分析対象チャンネルについて第１曜日（曜日に関する条件）を設定可能であり、比較対象チャンネルについて第２曜日（曜日に関する条件）を設定可能である。このような構成によれば、設定された曜日に限定して分析対象チャンネル及び比較対象チャンネルの視聴状況を比較分析することが可能となる。
【０１８０】
また、本実施形態においては、分析対象チャンネルまたは比較対象チャンネルで放送される番組の開始時刻及び終了時刻の少なくとも一方に従って上記した第１時間帯を設定可能であり、分析対象チャンネルまたは比較対象チャンネルで放送される番組の開始時刻及び終了時刻の少なくとも一方に従って上記した第２時間帯を設定可能である。すなわち、本実施形態においては、上記した図１０に示すように、視聴状況が比較分析される各時間帯の長さ（つまり、第１時間帯の長さ及び第２時間帯の長さ）は異なっていてもよい。本実施形態においては、このような構成により、例えば分析対象チャンネルで放送された番組単位（当該番組の放送開始日時から放送終了日時までの時間帯）の視聴状況に基づいて比較分析することが可能となる。
【０１８１】
なお、本実施形態において、分析対象チャンネルと比較対象チャンネルとの視聴状況との差異を示す指標は、リアルタイム視聴による視聴率の差異、録画視聴による視聴率の差異、及びリアルタイム視聴による視聴率と録画視聴による視聴率との合算視聴率の差異の少なくとも１つを含む。本実施形態においては、このような構成により、分析者の所望の視聴形態での指標を表示することが可能となる。
【０１８２】
また、本実施形態において、分析対象チャンネルの視聴状況、比較対象チャンネルの視聴状況及び当該視聴状況の差異を示す指標はヒートマップ形式で表示される。このような構成によれば、分析者は、分析対象チャンネルの視聴状況、比較対象チャンネルの視聴状況及び当該視聴状況の差異を示す指標を例えば各時間帯に付された色彩に基づいて直感的に把握すること可能となる。
【０１８３】
ここで、上記した図９に示すＧＵＩ画面２００においては、時間区分として「６０分」が設定されているため、視聴状況表示領域２０２ｂ及び２０３ｂにおける時間帯毎の視聴状況（視聴率）と比較分析結果表示領域２０４に表示される時間帯毎の指標とは全てＧＵＩ画面２００内に包含されている。しかしながら、時間区分として例えば「１５分」等が設定された場合には、比較分析範囲内で区分される時間帯の数が多くなるため、当該時間帯毎の視聴状況及び指標の全てをＧＵＩ画面２００内に表示することはできない。このように時間帯毎の視聴状況及び指標のうちのＧＵＩ画面２００内に表示することができない部分については例えば画面をスクロールすることによって表示することができるが、この場合における分析対象チャンネルの視聴状況、比較対象チャンネルの視聴状況及び当該視聴状況の差異を示す指標は連動してスクロール表示されるものとする。このような構成によれば、分析対象チャンネルの視聴状況、比較対象チャンネルの視聴状況及び当該視聴状況の差異を示す指標を、画面のスクロール時に常に対応づけて表示することが可能となるため、ＧＵＩ画面２００に対する視認性を向上させることが可能となる。
【０１８４】
なお、本実施形態においては比較分析の対象となる分析対象チャンネル及び比較対象チャンネルの視聴状況が当該チャンネルに対する視聴率であるものとして主に説明したが、本実施形態における視聴状況は、分析対象チャンネル及び比較対象チャンネルの視聴状況に関するものであればよく、例えば視聴者数（視聴機器数）、フリークエンシー（視聴回数）、リーチ数（累計到達数）、リーチ率（累計到達率）またはこれらの組み合わせ等であってもよい。
なお、本実施形態においては分析対象及び比較対象としていずれも放送局が選択選択されるものとして説明したが、DVDプレイヤーやセットトップボックス、ゲーム機器などの外部接続機器の使用状況を収集することにより、特定のチャンネルの視聴状況と外部接続機器の使用状況とを比較分析することも可能である。
なお、本実施形態においては図３に示すように機器ＩＤ、視聴チャンネル、視聴開始／終了日時、視聴形態が視聴ログとして収集されるものとして説明したが、これに加えてエリアコード（チャンネル設定時に選択された地域）や、視聴者の年齢、男女別などのデモグラフィック属性（例えば初期設定時にアンケートにより収集）を追加することも可能である。この場合、地域別や男女別、年齢別の比較分析が可能となる。
【０１８５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０１８６】
１０…分析システム、１１…視聴ログ収集部、１２…視聴ログ格納部、１３…統計データ計算部、１４…番組情報格納部、１５…統計データ格納部、１６…設定処理部、１７…比較分析部、１８…表示制御部、１０１…ＣＰＵ、１０２…不揮発性メモリ、１０３…主メモリ、１０４…入力デバイス、１０５…表示デバイス、１０６…通信デバイス。
【図１】
2019140455.tif 000003
【図２】
2019140455.tif 000004
【図３】
2019140455.tif 000005
【図４】
2019140455.tif 000006
【図５】
2019140455.tif 000007
【図６】
2019140455.tif 000008
【図７】
2019140455.tif 000009
【図８】
2019140455.tif 000010
【図９】
2019140455.tif 000011
【図１０】
2019140455.tif 000012